(57)【要約】  装置は、筐体と、筐体の内部に設けられた基板と、基板の一方の側に実装された発光体と、基板の一方の側と発光体とを覆って、発光体からの光を導光する弾性シートとを備える。筐体には、基板の一方の側に対応して貫通孔が形成されている。弾性シートは、貫通孔に対応する部分の表面に、その内部を通る光を全反射させるための鏡面部を有する。
2020121688.tif 000002
【特許請求の範囲】
【請求項１】
筐体と、
前記筐体の内部に設けられた基板と、
前記基板の一方の側に実装された発光体と、
前記基板の一方の側と前記発光体とを覆って、前記発光体からの光を導光する弾性シートと
を備え、
前記筐体には、前記基板の一方の側に対応して貫通孔が形成されており、
前記弾性シートは、
前記貫通孔に対応する部分の表面に、その内部を通る光を全反射させるための鏡面部を有する
ことを特徴とする装置。
【請求項２】
前記鏡面部は、前記弾性シートの一方の側の表面、および、他方の側の表面に設けられている
ことを特徴とする請求項１に記載の装置。
【請求項３】
前記弾性シートは、
前記鏡面部を除いた部分に設けられ、且つ、前記鏡面部よりも反射率の小さい粗面部を有する
ことを特徴とする請求項１または２に記載の装置。
【請求項４】
前記弾性シートは、
前記発光体を覆う部分には、前記発光体からの光を、前記弾性シートの他方の側から一方の側へ低損失で透過させるための光透過部を有する
ことを特徴とする請求項１から３のいずれか一項に記載の装置。
【請求項５】
前記筐体は、
前記貫通孔の周囲を取り囲み、且つ、前記基板の一方の側へ向けて延在する筒部を有する
ことを特徴とする請求項１から４のいずれか一項に記載の装置。
【請求項６】
前記弾性シートは、
前記鏡面部と前記発光体を覆う部分との間に一方に向けて立設された壁部を有する
ことを特徴とする請求項１から５のいずれか一項に記載の装置。
【請求項７】
前記筐体に設けられた係合爪と係合することにより、前記筐体の一方の側に取り付けられる取り付け部材をさらに備え、
前記係合爪は、前記貫通孔に対応して、前記貫通孔の一方の側に設けられている
ことを特徴とする請求項１から６のいずれか一項に記載の装置。
【請求項８】
前記弾性シートには、前記鏡面部と前記発光体を覆う部分との間に、前記粗面部が設けられていることを特徴とする請求項３に記載の装置。
【請求項９】
車両のパワーシートを操作するための操作装置であって、
筐体と、
前記筐体の内部に設けられた基板と、
前記基板の一方の側に実装された発光体と、
前記基板の一方の側と前記発光体とを覆って、前記発光体からの光を導光する弾性シートと
を備え、
前記筐体には、前記基板の一方の側に対応して貫通孔が形成されており、
前記弾性シートは、
前記貫通孔に対応する部分の表面に、その内部を通る光を全反射させるための鏡面部を有する
ことを特徴とする操作装置。
【発明の詳細な説明】
【技術分野】
【０００１】
本発明は、装置および操作装置に関する。
【背景技術】
【０００２】
従来、筐体の内部に設けられた基板の表面を、光透過性を有する素材からなるカバーで覆うことにより、基板の表面を保護するとともに、基板に実装された発光体から出射された光を、カバーを透過させて、筐体の表面から露出した所定の発光部位に導くことができるようにした技術が考案されている。【０００３】
例えば、下記特許文献１には、透光性を有する押ボタンを一体的に形成し、押ボタンの下側に設けられた光源から出射された光を、押ボタンの天面部に導くことができるようにしたスイッチ用カバー部材において、押ボタンの下側に形成された空間の内側壁面に遮光層を設けることにより、光源から出射された光の押ボタンの側面方向への光漏れを防止することができるようにした技術が開示されている。
【先行技術文献】
【特許文献】
【０００４】
【特許文献１】特開２００７−８０７６３号公報
【発明の概要】
【発明が解決しようとする課題】
【０００５】
本発明の発明者は、基板に実装された発光体から出射された光が、カバーを透過しきれずにカバーの内部で導光され、筐体に形成された貫通孔から漏れ出してしまう虞があり、従来技術ではこのような光漏れを抑制することができないため、このような光漏れを含む、貫通孔からの光漏れを抑制する技術の必要性があることを見出した。
【課題を解決するための手段】
【０００６】
一実施形態の装置は、筐体と、筐体の内部に設けられた基板と、基板の一方の側に実装された発光体と、基板の一方の側と発光体とを覆って、発光体からの光を導光する弾性シートとを備え、筐体には、基板の一方の側に対応して貫通孔が形成されており、弾性シートは、貫通孔に対応する部分の表面に、その内部を通る光を全反射させるための鏡面部を有する。
【発明の効果】
【０００７】
一実施形態によれば、筐体に形成された貫通孔からの光漏れを抑制することができる。
【図面の簡単な説明】
【０００８】
【図１】一実施形態に係るパワーシートスイッチの外観斜視図である。
【図２】一実施形態に係るパワーシートスイッチの分解斜視図である。
【図３】一実施形態に係るパワーシートスイッチが備える基板の構成を示す図である。
【図４】一実施形態に係るパワーシートスイッチにおけるパネルの取り付け構造を示す一部拡大図である。
【図５】図１に示すパワーシートスイッチのＡ−Ａ断面図である。
【図６】図５に示すパワーシートスイッチの光漏れ抑制構造を簡略的に示す模式図である。
【図７】一実施形態に係るパワーシートスイッチが備えるラバーシートの表面構成を示す図である。
【発明を実施するための形態】
【０００９】
以下、図面を参照して、一実施形態について説明する。なお、以降の説明では、便宜上、図中Ｚ軸正方向を上方（請求項記載の「一方」の一例）とし、図中Ｚ軸負方向を下方（請求項記載の「他方」の一例）とする。
【００１０】
（パワーシートスイッチ１００の概要）
図１は、一実施形態に係るパワーシートスイッチ１００の外観斜視図である。図１に示すパワーシートスイッチ１００は、請求項記載の「装置」および「操作装置」の一例であり、車両のパワーシートを操作するための装置である。例えば、パワーシートスイッチ１００は、車内における所定の位置（例えば、運転席側のドアの車内側）に設置される。
【００１１】
図１に示すように、パワーシートスイッチ１００は、筐体１１０（請求項記載の「筐体」の一例）を備える。筐体１１０の上面には、部分的に隆起した台座部１１０Ａおよび台座部１１０Ｂが形成されている。台座部１１０Ａには、操作パネルユニット１２０Ａが設けられている。台座部１１０Ｂには、操作パネルユニット１２０Ｂが設けられている。
【００１２】
操作パネルユニット１２０Ａは、操作パネル１２１、操作ノブ１２２、発光部１２３、およびベゼル１２５（請求項記載の「取り付け部材」の一例）を有する。操作パネル１２１は、水平な平面状の部材である。操作ノブ１２２は、操作パネル１２１の表面に設けられている。操作ノブ１２２は、パワーシートの各種調整（例えば、リクライニング調整、高さ調整、傾き調整、前後位置調整）を行うためのスイッチ１３６（図３参照）に対する、スイッチ操作（例えば、押下操作、スライド操作、傾倒操作）がなされる操作部材である。
【００１３】
発光部１２３は、操作ノブ１２２を取り囲む帯状の部材である。発光部１２３は、光透過性を有しており、筐体１１０の内部に設けられたＬＥＤ１３４（図３参照）からの出射光を透過して発光することにより、操作ノブ１２２の位置の判別性を高めることが可能となっている。
【００１４】
ベゼル１２５は、操作パネルユニット１２０Ａの外周縁部に沿って操作パネルユニット１２０Ａを取り囲む部材である。ベゼル１２５は、立体的形状、または、クロームメッキ表面加工等がなされていることによる加飾機能を有しており、スナップフィット構造によって、台座部１１０Ａに対して着脱可能に取り付けられている。
【００１５】
操作パネルユニット１２０Ｂは、複数の操作体１２４およびベゼル１２６（請求項記載の「取り付け部材」の一例）を有する。複数の操作体１２４は、パワーシートの調整値をユーザ別に記憶および呼び出しするためのスイッチ１３５（図３参照）に対する、スイッチ操作（例えば、押下操作）がなされる操作部材である。
【００１６】
各操作体１２４の表面には、文字形状または図形状の発光部１２４Ａが設けられている。発光部１２４Ａは、光透過性を有しており、筐体１１０の内部に設けられたＬＥＤ１３３からの出射光を透過して発光することにより、各操作体１２４の位置や機能の判別性を高めることが可能となっている。
【００１７】
ベゼル１２６は、操作パネルユニット１２０Ｂの外周縁部に沿って操作パネルユニット１２０Ｂを取り囲む部材である。ベゼル１２６は、立体的形状、または、クロームメッキ表面加工等がなされていることによる加飾機能を有しており、スナップフィット構造によって、台座部１１０Ｂに対して着脱可能に取り付けられている。
【００１８】
パワーシートスイッチ１００は、筐体１１０の側面に設けられた差込口（図示しない）にコネクタ（図示しない）が接続されることによって、当該コネクタおよびケーブルを介して、車両に搭載されたコントロールユニットに電気的に接続される。これにより、パワーシートスイッチ１００は、操作ノブ１２２，操作体１２４によるスイッチ操作に応じた電気信号を、コントロールユニットに出力して、コントロールユニットにパワーシートの制御を行わせることが可能となる。
【００１９】
（パワーシートスイッチ１００の構成）
図２は、一実施形態に係るパワーシートスイッチ１００の分解斜視図である。図２に示すように、パワーシートスイッチ１００は、上方から順に、操作パネルユニット１２０Ａ、操作パネルユニット１２０Ｂ、筐体１１０、および基板ユニット１３０を備えて構成されている。
【００２０】
筐体１１０は、内部空間１１０Ｃを有し、下方側に下部開口を有する容器状の部材である。例えば、筐体１１０は、樹脂素材を射出成形することによって形成される。図１で説明したように、筐体１１０の上面に形成された台座部１１０Ａ，台座部１１０Ｂには、操作パネルユニット１２０Ａ，１２０Ｂが設けられる。
【００２１】
内部空間１１０Ｃには、基板ユニット１３０が収容される。基板ユニット１３０は、平板状の基板１３１（請求項記載の「基板」の一例）に複数の電子部品（例えば、スイッチ１３５，１３６、ＬＥＤ１３３，１３４等）が実装されて構成されている。基板１３１上に実装される各スイッチ１３５，１３６は、筐体１１０の台座部１１０Ａ，１１０Ｂの上部に形成された開口部を通じて、対応する操作ノブ１２２，操作体１２４と接続することにより、操作ノブ１２２，操作体１２４によるスイッチ操作が可能となる。
【００２２】
基板１３１の表面は、全域に亘ってラバーシート１３２によって覆われており、防水性が高められている。なお、筐体１１０の下部開口は、図示を省略するアンダーパネルが取り付けられることによって閉塞される。
【００２３】
（基板１３１の構成）
図３は、一実施形態に係るパワーシートスイッチ１００が備える基板１３１の構成を示す図である。図３に示すように、基板１３１は、複数の電子部品が実装される平板状の部材である。例えば、基板１３１には、ガラスエポキシ等の絶縁性素材からなるＰＷＢ（Printed Wiring Board）が用いられる。基板１３１の表面には、複数のＬＥＤ１３３、複数のＬＥＤ１３４、複数のスイッチ１３５、および複数のスイッチ１３６が実装される。なお、図３では、基板１３１の表面上におけるＬＥＤ１３３，１３４およびスイッチ１３５，１３６の配置をわかり易くするために、基板１３１の表面上に実装される一部の部品の図示を省略している。
【００２４】
複数のＬＥＤ１３３は、各操作体１２４の下側に配置される。各ＬＥＤ１３３は、「発光体」の一例であり、操作体１２４に設けられた発光部１２４Ａに対して下側から光を照射することにより、発光部１２４Ａを発光させる。複数のＬＥＤ１３４は、操作パネル１２１の下側に配置される。各ＬＥＤ１３４は、操作パネル１２１に設けられた発光部１２３に対して光を照射することにより、発光部１２３を発光させる。
【００２５】
複数のスイッチ１３５は、各操作体１２４の下側に配置される。各スイッチ１３５は、各操作体１２４のスイッチ操作に連動して、パワーシートの調整値をユーザ別に記憶および呼び出しするためのスイッチ動作を行う。複数のスイッチ１３６は、操作パネル１２１の下側に配置される。各スイッチ１３６は、操作ノブ１２２のスイッチ操作に連動して、パワーシートの各種調整を行うためのスイッチ動作を行う。
【００２６】
基板１３１の表面は、各電子部品が実装された状態で、全域に亘ってラバーシート１３２によって覆われる。ラバーシート１３２は、請求項記載の「弾性シート」の一例であり、可撓性を有するシート状の部材である。例えば、ラバーシート１３２は、ゴム、シリコン等の弾性素材がプレス成型されることによって形成される。ラバーシート１３２は、上方からの平面視において、基板１３１と略同形状を有している。これにより、ラバーシート１３２は、基板１３１の表面を全域に亘って覆うことができる。基板１３１は、ラバーシート１３２によって覆われることにより、防水性が高められる。なお、ラバーシート１３２は、光透過性を有する弾性素材から形成される。これにより、ラバーシート１３２は、ＬＥＤ１３３，１３４を覆った状態で、ＬＥＤ１３３，１３４からの出射光を上方へ透過することができる。
【００２７】
ラバーシート１３２は、各ＬＥＤ１３３，１３４と重なる位置に、上方に突出した凸状部１３２Ａが一体形成されており、凸状部１３２Ａの下側が開口した空間内に、各ＬＥＤ１３３，１３４を収めた状態で、凸状部１３２Ａの表面からＬＥＤ１３３，１３４の光を上方へ出射できるようになっている。また、ラバーシート１３２は、各スイッチ１３５，１３６と重なる位置に、上方に突出した凸状部１３２Ｂを有しており、凸状部１３２Ｂの下側が開口した空間内に、各スイッチ１３５，１３６が収められている。各スイッチ１３５，１３６は、操作ノブ１２２，操作体１２４の操作に伴って、凸状部１３２Ｂが弾性変形することにより、操作できるようになっている。
【００２８】
（パワーシートスイッチ１００の光漏れ抑制構造）
以下、パワーシートスイッチ１００の光漏れ抑制構造について説明する。図４は、一実施形態に係るパワーシートスイッチ１００におけるベゼル１２６の取り付け構造を示す一部拡大図である。
【００２９】
ベゼル１２６は、いわゆるスナップフィット構造を用いて、台座部１１０Ｂに対して取り付けられる。具体的には、図４に示すように、ベゼル１２６の側面には、下方に垂下したフック１２６Ａが設けられている。一方、台座部１１０Ｂの側面には、係合爪１１０Ｄが設けられている。フック１２６Ａは、係合爪１１０Ｄの形状に対応した方向側に押し広げられた状態で嵌め込まれ、係合爪１１０Ｄと係合する。これにより、ベゼル１２６は、筐体１１０の上方の側に設けられた台座部１１０Ｂに対して固定的且つ着脱可能に取り付けられる。なお、ベゼル１２５も同様のスナップフィット構造を用いて、台座部１１０Ａに対して取り付けられる。
【００３０】
図４に示すように、筐体１１０の表面において、係合爪１１０Ｄの真下の位置には、貫通孔１１０Ｅ（請求項記載の「貫通孔」の一例）が形成されている。すなわち、係合爪１１０Ｄは、貫通孔１１０Ｅに対応して、貫通孔１１０Ｅの上方に設けられている。貫通孔１１０Ｅは、筐体１１０の上部を上下方向に貫通して、内部空間１１０Ｃ内に通ずるものである。貫通孔１１０Ｅは、係合爪１１０Ｄを形成する際に、係合爪１１０Ｄを形成するための金型を下方へ引き抜くために形成される。この貫通孔１１０Ｅは、ＬＥＤ１３３，１３４から発せられた光を外部へ漏出させてしまう虞がある。そこで、本実施形態のパワーシートスイッチ１００は、貫通孔１１０Ｅからの光漏れが生じないように、光漏れ抑制構造を有している。
【００３１】
なお、ベゼル１２５，１２６は、外周縁部に沿った複数個所で、スナップフィット構造によって台座部１１０Ａ，１１０Ｂに固定される。すなわち、筐体１１０の上部には、台座部１１０Ａ，１１０Ｂの外周縁部に沿って、複数個所に貫通孔１１０Ｅが形成されている。このため、本実施形態のパワーシートスイッチ１００は、複数の貫通孔１１０Ｅの各々に対し、光漏れが生じないように、光漏れ抑制構造を有している。
【００３２】
図５は、図１に示すパワーシートスイッチ１００のＡ−Ａ断面図であり、パワーシートスイッチ１００の光漏れ抑制構造を説明するための図である。図６は、図５に示すパワーシートスイッチ１００の光漏れ抑制構造を簡略的に示す模式図である。
【００３３】
図５および図６に示すように、筐体１１０の上壁部における内部空間１１０Ｃ側には、貫通孔１１０Ｅが形成されている位置に、貫通孔１１０Ｅを取り囲む筒状の筒部１１０Ｆが、下方へ延在して設けられている。これにより、本実施形態のパワーシートスイッチ１００は、内部空間１１０Ｃ内を導光する光を、貫通孔１１０Ｅに進入しないように筒部１１０Ｆによって遮ることができる。よって、本実施形態のパワーシートスイッチ１００は、貫通孔１１０Ｅからの光漏れを抑制することができる。
【００３４】
なお、本実施形態のパワーシートスイッチ１００では、筒部１１０Ｆの下端部がラバーシート１３２の表面に近接しているが、寸法誤差を考慮して、筒部１１０Ｆの下端部をラバーシート１３２の表面に当接させない構成としている。但し、これに限らず、筒部１１０Ｆの下端部をラバーシート１３２の表面に当接させる構成としてよい。これにより、内部空間１１０Ｃ内を導光する光の貫通孔１１０Ｅへの進入をより抑制することができる。
【００３５】
また、図５および図６に示すように、ラバーシート１３２の表面における貫通孔１１０Ｅと凸状部１３２Ａとの間には、垂直に立設された壁部１３２Ｃが設けられている。これにより、本実施形態のパワーシートスイッチ１００は、ＬＥＤ１３３，１３４から出射されて貫通孔１１０Ｅに向って内部空間１１０Ｃ内を導光する光を、貫通孔１１０Ｅの周囲に進入しないように壁部１３２Ｃによって遮ることができる。よって、本実施形態のパワーシートスイッチ１００は、貫通孔１１０Ｅからの光漏れを抑制することができる。
【００３６】
なお、本実施形態のパワーシートスイッチ１００では、壁部１３２Ｃの上端部が筐体１１０の上壁部に近接しているが、寸法誤差を考慮して、壁部１３２Ｃの上端部を筐体１１０の上壁部に当接させない構成としている。但し、これに限らず、壁部１３２Ｃの上端部を筐体１１０の上壁部に当接させる構成としてよい。これにより、内部空間１１０Ｃ内を導光する光の貫通孔１１０Ｅの周囲への進入をより抑制することができる。
【００３７】
また、図５および図６に示すように、ラバーシート１３２における貫通孔１１０Ｅと対応する部分には、鏡面部１３２Ｄ（請求項記載の「鏡面部」の一例）が設けられている。特に、ラバーシート１３２における貫通孔１１０Ｅと対応する部分には、ラバーシート１３２の上面（貫通孔１１０Ｅ側の表面）および下面（基板１３１側の表面）の各々に、鏡面部１３２Ｄが設けられている。
【００３８】
ラバーシート１３２の上面に設けられた鏡面部１３２Ｄは、ＬＥＤ１３３，１３４から出射されてラバーシート１３２の内部を導光する光を、全反射することができる。これにより、本実施形態のパワーシートスイッチ１００は、当該鏡面部１３２Ｄの形成位置において、ラバーシート１３２の内部を導光する光がラバーシート１３２の上面で屈折して、ラバーシート１３２の上面から出射してしまうことを抑制することができる。
【００３９】
ラバーシート１３２の下面に設けられた鏡面部１３２Ｄは、ＬＥＤ１３３，１３４から出射されてラバーシート１３２の内部を導光する光を、全反射することができる。これにより、本実施形態のパワーシートスイッチ１００は、当該鏡面部１３２Ｄの形成位置において、ラバーシート１３２の内部を導光する光がラバーシート１３２の下面で散乱して、ラバーシート１３２の上面から出射してしまうことを抑制することができる。
【００４０】
鏡面部１３２Ｄは、少なくとも、上方からの平面視において、貫通孔１１０Ｅと重なる位置に設けられ、なおかつ、貫通孔１１０Ｅの全体を包含する形状およびサイズであることが好ましい。
【００４１】
なお、ラバーシート１３２の表面において、鏡面部１３２Ｄ以外の平面部分（鏡面部１３２Ｄと凸状部１３２Ａとの間を含む）は、シボ加工（請求項記載の「粗面部」の一例）が施されている。例えば、鏡面部１３２Ｄは、ラバーシート１３２をプレス成型するための金型に対し、シボ加工のための凹凸を部分的に設けないことにより形成できる。鏡面部１３２Ｄは、シボ加工が施されている部分と比較して、金型の離型性は低くなるが、本実施形態のパワーシートスイッチ１００は、ラバーシート１３２の表面に対し、部分的に鏡面部１３２Ｄを設ける構成としているため、ラバーシート１３２の表面に対して全体的に鏡面加工を施す構成と比較すれば、金型の離型性が高いものであるといえる。
【００４２】
また、本実施形態のパワーシートスイッチ１００は、ラバーシート１３２の凸状部１３２Ａの表面にも鏡面加工が施されている。これにより、本実施形態のパワーシートスイッチ１００は、各ＬＥＤ１３３，１３４から出射された光を、凸状部１３２Ａの表面において散乱させることなく、凸状部１３２Ａの上方へ出射させて、照射対象（発光部１２３，１２４Ａ）に効率的に導くことができる。結果的に、凸状部１３２Ａから貫通孔１１０Ｅに向う光の光量を抑制することができるため、貫通孔１１０Ｅからの光漏れを抑制することができる。なお、ラバーシート１３２の凸状部１３２Ａの表面は、極めて薄い薄膜状に形成されており、これにより、上方への光透過率がより高められている。
【００４３】
なお、上記した光漏れ抑制構造の各構成部（筒部１１０Ｆ、壁部１３２Ｃ、鏡面部１３２Ｄ、および凸状部１３２Ａ）は、いずれも、ラバーシート１３２または筐体１１０に一体的に形成されるものであり、ラバーシート１３２または筐体１１０への取り付け作業は不要である。これにより、本実施形態のパワーシートスイッチ１００は、組み立て容易性が高められたものとなっている。
【００４４】
（ラバーシート１３２の表面構成）
図７は、一実施形態に係るパワーシートスイッチ１００が備えるラバーシート１３２の表面構成を示す図である。図７では、ラバーシート１３２の上面の構成が示されている。
【００４５】
図７に示すように、ラバーシート１３２の上面には、筐体１１０に形成された複数の貫通孔１１０Ｅの各々と対応する複数の部分の各々に、鏡面部１３２Ｄが設けられている。これにより、本実施形態のパワーシートスイッチ１００は、複数の貫通孔１１０Ｅの各々について、ラバーシート１３２内を導光する光が当該貫通孔１１０Ｅから漏出してしまうことを抑制することができる。
【００４６】
また、ラバーシート１３２において、複数の貫通孔１１０Ｅの各々と対応する複数の部分の各々には、上面（貫通孔１１０Ｅ側の表面）のみならず下面（基板１３１側の表面）にも、鏡面部１３２Ｄが設けられている。これにより、本実施形態のパワーシートスイッチ１００は、複数の貫通孔１１０Ｅの各々について、ラバーシート１３２内を導光する光が、ラバーシート１３２の下面で散乱し、散乱光の一部がラバーシート１３２の上面から出射して、貫通孔１１０Ｅから漏出してしまうことを抑制することができる。
【００４７】
また、ラバーシート１３２の上面において、複数のＬＥＤ１３３，１３４の各々を覆う複数の部分の各々に、凸状部１３２Ａが設けられている。各凸状部１３２Ａの表面は、鏡面加工が施されている。これにより、本実施形態のパワーシートスイッチ１００は、複数のＬＥＤ１３３，１３４の各々について、凸状部１３２Ａの表面による出射光の散乱を抑制し、凸状部１３２Ａから貫通孔１１０Ｅに向う光の光量を抑制することができ、結果的に、貫通孔１１０Ｅからの光漏れを抑制することができる。
【００４８】
また、ラバーシート１３２の上面には、鏡面部１３２Ｄと凸状部１３２Ａとの間となる複数の位置の各々に、垂直に立設された壁部１３２Ｃが設けられている。これにより、本実施形態のパワーシートスイッチ１００は、凸状部１３２Ａから貫通孔１１０Ｅの周囲に向う光を壁部１３２Ｃによって遮ることができ、結果的に、貫通孔１１０Ｅからの光漏れを抑制することができる。
【００４９】
以上説明したように、一実施形態に係るパワーシートスイッチ１００は、ラバーシート１３２における貫通孔１１０Ｅと対応する部分の表面に、内部を導光する光を全反射する鏡面部１３２Ｄを有する。これにより、一実施形態に係るパワーシートスイッチ１００は、ラバーシート１３２の内部を導光する光が、貫通孔１１０Ｅと対応する部分の表面から出射してしまうことを抑制することができる。したがって、一実施形態に係るパワーシートスイッチ１００によれば、貫通孔１１０Ｅからの光漏れを抑制することができる。
【００５０】
特に、一実施形態に係るパワーシートスイッチ１００は、ラバーシート１３２における貫通孔１１０Ｅと対応する部分の上面および下面の各々に、鏡面部１３２Ｄを有する。これにより、一実施形態に係るパワーシートスイッチ１００は、ラバーシート１３２の内部を導光する光が、貫通孔１１０Ｅと対応する部分の上面から直接的に出射してしまうことを抑制することができ、且つ、貫通孔１１０Ｅと対応する部分の下面で散乱して、その散乱光が貫通孔１１０Ｅと対応する部分の上面から出射してしまうことを抑制することができる。したがって、一実施形態に係るパワーシートスイッチ１００によれば、貫通孔１１０Ｅからの光漏れを抑制することができる。
【００５１】
また、一実施形態に係るパワーシートスイッチ１００は、ラバーシート１３２の表面における、鏡面部１３２Ｄを除いた部分に、鏡面部１３２Ｄよりも反射率の小さい粗面部の一例であるシボ加工が施されている。これにより、一実施形態に係るパワーシートスイッチ１００は、鏡面部１３２Ｄによる光漏れ抑制効果を損なうことなく、ラバーシート１３２の金型からの離型性を高めることができる。
【００５２】
また、一実施形態に係るパワーシートスイッチ１００は、ラバーシート１３２における凸状部１３２Ａに、下方側から上方側へ向かってＬＥＤ１３３，１３４から照射される光を低損失で貫通させる鏡面加工（請求項記載の「光透過部」の一例）が施されている。これにより、本実施形態のパワーシートスイッチ１００は、各ＬＥＤ１３３，１３４から出射された光を、凸状部１３２Ａにおいて散乱させることなく、凸状部１３２Ａの上方へ出射させて、発光部１２３，１２４Ａに効率的に導くことができる。したがって、本実施形態のパワーシートスイッチ１００によれば、凸状部１３２Ａから貫通孔１１０Ｅに向う光の光量を抑制することができるため、貫通孔１１０Ｅからの光漏れを抑制することができる。
【００５３】
また、一実施形態に係るパワーシートスイッチ１００は、筐体１１０の内部に、貫通孔１１０Ｅの周囲を取り囲み、且つ、貫通孔１１０Ｅから内部空間側１１０Ｃへ延在する筒部１１０Ｆを有する。これにより、本実施形態のパワーシートスイッチ１００は、筐体１１０の内部を導光する光を、貫通孔１１０Ｅに進入しないように筒部１１０Ｆによって遮ることができる。したがって、本実施形態のパワーシートスイッチ１００によれば、貫通孔１１０Ｅからの光漏れを抑制することができる。
【００５４】
また、一実施形態に係るパワーシートスイッチ１００は、ラバーシート１３２の表面における貫通孔１１０Ｅに対応する位置とＬＥＤ１３３，１３４に対応する位置との間に立設された壁部１３２Ｃを有する。これにより、本実施形態のパワーシートスイッチ１００は、ＬＥＤ１３３，１３４から貫通孔１１０Ｅの周囲に向う光を壁部１３２Ｃによって遮ることができる。したがって、本実施形態のパワーシートスイッチ１００によれば、貫通孔１１０Ｅからの光漏れを抑制することができる。
【００５５】
また、一実施形態に係るパワーシートスイッチ１００は、ラバーシート１３２における鏡面部１３２ＤとＬＥＤ１３３，１３４を覆う凸状部１３２Ａとの間に、シボ加工が施されている。これにより、本実施形態のパワーシートスイッチ１００は、光漏れ抑制効果を損なうことなく、ラバーシート１３２の金型からの離型性を高めることができる。
【００５６】
以上、本発明の一実施形態について詳述したが、本発明はこれらの実施形態に限定されるものではなく、特許請求の範囲に記載された本発明の要旨の範囲内において、種々の変形又は変更が可能である。
【００５７】
例えば、上記実施形態では、本発明をパワーシートスイッチに適用した例を説明したが、これに限らず、本発明は、少なくとも筐体の内部で発光体を発光させる構成を採用したものであれば、如何なる装置および如何なるスイッチ装置にも適用可能である。
【００５８】
また、例えば、上記実施形態では、ラバーシートの貫通孔と対応する部分において、上面および下面の両方に鏡面部を設けているが、これに限らず、ラバーシートの貫通孔と対応する部分において、上面のみ鏡面部を設けるようにしてもよい。
【００５９】
また、例えば、上記実施形態では、光漏れ抑制構造の対象とする貫通孔を、スナップフィット構造の係合爪を形成するための貫通孔としているが、これに限らず、光漏れ抑制構造の対象とする貫通孔は、筐体に形成された如何なる貫通孔であってもよい。
【００６０】
本国際出願は、２０１８年１２月１３日に出願した日本国特許出願第２０１８−２３３６３６号に基づく優先権を主張するものであり、当該出願の全内容を本国際出願に援用する。
【符号の説明】
【００６１】
１００  パワーシートスイッチ（装置，操作装置）
１１０  筐体
１１０Ａ，１１０Ｂ  台座部
１１０Ｃ  内部空間
１１０Ｄ  係合爪
１１０Ｅ  貫通孔
１１０Ｆ  筒部
１３１  基板
１３２  ラバーシート（弾性シート）
１３２Ａ  凸状部（発光体を覆う部分）
１３２Ｂ  凸状部
１３２Ｃ  壁部
１３２Ｄ  鏡面部
１３３，１３４  ＬＥＤ（発光体）
【図１】
2020121688.tif 000003
【図２】
2020121688.tif 000004
【図３】
2020121688.tif 000005
【図４】
2020121688.tif 000006
【図５】
2020121688.tif 000007
【図６】
2020121688.tif 000008
【図７】
2020121688.tif 000009
【国際調査報告】
2020121688.tif 000010
2020121688.tif 000011
2020121688.tif 000012
2020121688.tif 000013